(57)【要約】【課題】ベルトの張力を高精度に測定することができるベルトの張力調整装置を提供する。【解決手段】本発明によるベルトの張力調整装置は、フレーム４１と、フレーム４１に沿って移動可能な可動部４０と、フレーム４１に固定されており、ベルト２３がかけられる固定プーリ４２とを備える。可動部４０は、ベルト２３がかけられるプーリ５７と、プーリ５７に接続された張力測定機５５と、張力測定機５５に接続された張力調整機構５１、５２、５３とを備える。張力調整機構５１、５２、５３は、張力測定機５５を移動させて、固定プーリ４２とプーリ５７とにかけられたベルト２３を引っ張り、ベルト２３に張力を生じさせる機構である。張力測定機５５は、固定プーリ４２とプーリ５７とにかけられたベルト２３の張力を測定する。【選択図】図５
2020112211.tif 000002
【特許請求の範囲】
【請求項１】
フレームと、
前記フレームに沿って移動可能な可動部と、
前記フレームに固定されており、ベルトがかけられる固定プーリと、
を備え、
前記可動部は、前記ベルトがかけられるプーリと、前記プーリに接続された張力測定機と、前記張力測定機に接続された張力調整機構とを備え、
前記張力調整機構は、前記張力測定機を移動させて、前記固定プーリと前記プーリとにかけられた前記ベルトを引っ張り、前記ベルトに張力を生じさせる機構であり、
前記張力測定機は、前記固定プーリと前記プーリとにかけられた前記ベルトの張力を測定する、
ことを特徴とするベルトの張力調整装置。
【請求項２】
前記張力調整機構は、表面にねじ山を備え、回転可能な棒状部材と、前記棒状部材が貫通する穴を備え、前記穴の表面に溝が形成されている固定部材とを備え、
前記棒状部材は、回転して前記ねじ山が前記溝に噛み合うことで平行移動すると、前記張力測定機を移動させる、
請求項１に記載のベルトの張力調整装置。
【請求項３】
前記固定部材は、前記穴に繋がった間隙と、前記間隙の大きさを変化させる間隙可変機構とを備え、前記間隙が小さくなると、前記穴の径が小さくなり、前記穴の表面によって前記棒状部材が固定される、
請求項２に記載のベルトの張力調整装置。
【請求項４】
前記フレームは、前記可動部を前記フレームの複数の位置のいずれか１つに固定することができる可動部固定位置調整部を備える、
請求項１に記載のベルトの張力調整装置。
【請求項５】
前記張力測定機は、一端部が前記張力調整機構に接続され、他端部が前記プーリに接続され、前記一端部と前記他端部が互いに逆方向に引っ張られたときに加わる力を張力として測定する、
請求項１に記載のベルトの張力調整装置。
【発明の詳細な説明】
【技術分野】
【０００１】
本発明は、ベルトの張力調整装置に関する。
【背景技術】
【０００２】
エレベータは、乗りかごのドアの開閉装置であるドアマシンを備える。ドアマシンは、モータでベルトを駆動させることにより、ドアを開閉する。
【０００３】
ドアマシンの組立作業では、ベルトの張力を調整する。従来の張力調整方法では、例えば、２つのプーリの間に張ったベルトに重りを掛けてベルトをたわませ、このたわみ量を作業者が定規等を用いて目視で測定し、プーリを移動させてたわみ量を変化させることで、ベルトの張力を調整する。このような従来の張力調整方法では、作業者が目視でたわみ量を測定し、プーリをハンマー等で叩いて移動させるという人力でベルトの張力を調整しており、ベルトの張力を高精度に測定して調整するのが難しい。また、ベルトの張力を正確に調整するには、何度も調整をやり直すという繰り返しの作業が発生してしまう。
【０００４】
特許文献１には、Ｖベルトの張力測定装置の例が記載されている。このＶベルトの張力測定装置では、２つのプーリの間に張られたＶベルトに摺動体の先端を接触させてＶベルトをたわめ、摺動体が所定距離だけ移動したときの摺動体の荷重目盛で表された荷重値をＶベルトの張力として測定する。
【先行技術文献】
【特許文献】
【０００５】
【特許文献１】特開平１１−２３６９５２号公報
【発明の概要】
【発明が解決しようとする課題】
【０００６】
上述したように、従来の張力調整方法では、ベルトの張力を高精度に測定して調整するのが難しく、張力が所望の値になるまで何度も調整をやり直す必要があるという課題がある。
【０００７】
特許文献１には、ベルトの張力の測定精度を向上できる装置の例が記載されている。特許文献１に記載のＶベルトの張力測定装置では、摺動体でＶベルトの１箇所に力を与えてＶベルトの張力を測定する。この張力測定装置は、張力の測定時に摺動体でベルトの１箇所のみに力を加えるので、ベルトの全体に均等に張力が働かず、ベルトの張力の測定精度に改善の余地を残しているという課題がある。
【０００８】
本発明の目的は、ベルトの張力を高精度に測定することができるベルトの張力調整装置を提供することである。
【課題を解決するための手段】
【０００９】
本発明によるベルトの張力調整装置は、フレームと、前記フレームに沿って移動可能な可動部と、前記フレームに固定されており、ベルトがかけられる固定プーリとを備える。前記可動部は、前記ベルトがかけられるプーリと、前記プーリに接続された張力測定機と、前記張力測定機に接続された張力調整機構とを備える。前記張力調整機構は、前記張力測定機を移動させて、前記固定プーリと前記プーリとにかけられた前記ベルトを引っ張り、前記ベルトに張力を生じさせる機構である。前記張力測定機は、前記固定プーリと前記プーリとにかけられた前記ベルトの張力を測定する。
【発明の効果】
【００１０】
本発明によると、ベルトの張力を高精度に測定することができるベルトの張力調整装置を提供することができる。
【図面の簡単な説明】
【００１１】
【図１】エレベータの乗りかごの一例を示す図。
【図２】ドアマシンの構成を示す図。
【図３Ａ】Ｖベルトの、従来の張力調整方法の一例を説明する図。
【図３Ｂ】Ｖベルトの、従来の張力調整方法の一例を説明する図。
【図４】本発明の実施例によるベルトの張力調整装置の正面図。
【図５】本発明の実施例によるベルトの張力調整装置の可動部の正面図。
【図６】本発明の実施例によるベルトの張力調整装置の、ロッドを固定可能なブロックの構成を示す図。
【発明を実施するための形態】
【００１２】
本発明によるベルトの張力調整装置は、ベルトの全体を伸ばしてベルトの張力を測定するので、張力の測定時にベルトの全体に均等に張力を生じさせることができ、ベルトの張力を高精度に測定することができる。本発明によるベルトの張力調整装置を用いることにより、作業者は、ベルトの張力を高精度に測定して容易に調整することができる。
【００１３】
以下、本発明の実施例によるベルトの張力調整装置について説明する。以下の実施例では、本発明によるベルトの張力調整装置が、エレベータのドアマシンに用いられるＶベルトの張力を測定する例を説明する。なお、本発明によるベルトの張力調整装置は、Ｖベルト以外のベルトの張力を測定することもでき、エレベータのドアマシン以外に用いられるベルトの張力を測定することもできる。
【実施例】
【００１４】
図１は、エレベータの乗りかごの一例を示す図である。乗りかご１０は、２枚のドア１１と、ドアマシン１２を備える。ドアマシン１２は、ドア１１の開閉動作を行う動力をドア１１に伝える。
【００１５】
図２は、ドアマシン１２の構成を示す図であり、ドアマシン１２の稼動部を説明する図である。ドアマシン１２は、フレーム２０と、ハンガー２１と、レール２２と、Ｖベルト２３と、モータ２４と、従動プーリ２５と、ブラケット２６を備える。フレーム２０には、レール２２とモータ２４と従動プーリ２５が固定されている。
【００１６】
Ｖベルト２３は、モータ２４と従動プーリ２５との間に張られ、モータ２４の駆動力が伝えられる。Ｖベルト２３にはブラケット２６が接続されており、モータ２４の駆動力でＶベルト２３が駆動されると、ブラケット２６が移動する。
【００１７】
ブラケット２６は、ハンガー２１が接続されており、Ｖベルト２３とハンガー２１とを連結する。ハンガー２１は、ドア１１が接続されており、レール２２に沿って水平移動する。ドア１１は、ハンガー２１と同じ向きに水平移動する。
【００１８】
モータ２４の駆動力でＶベルト２３が駆動されブラケット２６が移動すると、ハンガー２１は、レール２２に沿って水平移動し、ドア１１は、ハンガー２１とともに水平移動して開閉する。
【００１９】
Ｖベルト２３は、一定の張力を維持することにより、モータ２４の駆動力を正確にハンガー２１に伝える部品である。Ｖベルト２３は、モータ２４と従動プーリ２５との間に規定の張力で張られる必要がある。Ｖベルト２３が規定の張力で張られていないと、モータ２４が駆動したときに、Ｖベルト２３がモータ２４に対して滑り、モータ２４の駆動力がハンガー２１に伝わらず、ドア１１が滑らかに開閉しないこともある。このため、Ｖベルト２３の張力を高精度に測定して調整する必要がある。
【００２０】
ここで、Ｖベルト２３の、従来の張力調整方法を説明する。
【００２１】
図３Ａと図３Ｂは、Ｖベルト２３の、従来の張力調整方法の一例を説明する図である。初めに、図３Ａに示すように、２つのプーリ３０の間にＶベルト２３を張り、Ｖベルト２３に重り３１を掛ける。図３Ｂに示すように、Ｖベルト２３は、重り３１を掛けられると、たわむ。作業者は、Ｖベルト２３のたわみ量を測定し、たわみ量が規定値に達していない場合には、プーリ３０の一方を図３Ｂの矢印で示す方向に移動させて、Ｖベルト２３のたわみ量を変化させる。作業者は、この一連の作業を繰り返し、たわみ量が規定値に達するまで調整を行って、ベルトの張力を調整する。Ｖベルト２３のたわみ量が規定値に達すると、Ｖベルト２３の張力の調整が終了する。
【００２２】
このような従来の張力調整方法では、Ｖベルト２３の１箇所のみに重り３１で力を加えるのでＶベルト２３の全体に均等に張力が働かず、作業者が定規等を用いてＶベルト２３のたわみ量を目視で測定し、たわみ量を測定する位置（Ｖベルト２３に定規を当てる位置）が一定ではないため、Ｖベルト２３の張力を高精度に測定するのが難しい。また、Ｖベルト２３のたわみ量が規定値に達するまで（すなわち、Ｖベルト２３の張力が所望の値になるまで）、張力の測定とプーリ３０の移動を何度もやり直す必要がある。
【００２３】
本実施例によるベルトの張力調整装置を説明する。上述したように、以下では、本実施例によるベルトの張力調整装置がＶベルト２３の張力を測定する例を説明する。
【００２４】
図４は、本実施例によるベルトの張力調整装置の正面図である。本実施例によるベルトの張力調整装置は、一方向（図４の左右方向）に向かって延在するフレーム４１と、フレーム４１の一端部に位置する可動部４０と、フレーム４１の他端部に位置する固定プーリ４２を備える。Ｖベルト２３は、固定プーリ４２と可動部４０のプーリ５７とにかけられ、固定プーリ４２とプーリ５７との間に張られる。プーリ５７については後述する。
【００２５】
可動部４０は、フレーム４１の延在方向に沿って移動可能であるとともに、フレーム４１に固定可能である。可動部４０は、Ｖベルト２３を引っ張って、Ｖベルト２３の張力を測定する。
【００２６】
固定プーリ４２は、フレーム４１に固定されており、Ｖベルト２３がかけられ、Ｖベルト２３に引っ張られても移動しない。
【００２７】
フレーム４１は、Ｖベルト２３のサイズ（長さ）に合わせて可動部４０の固定位置を調整できる可動部固定位置調整部４３を備える。可動部固定位置調整部４３は、可動部４０をフレーム４１の複数の固定位置のいずれか１つに固定することができる。可動部固定位置調整部４３は、可動部４０の位置を調整し、可動部４０をフレーム４１に固定するための機構である。
【００２８】
可動部固定位置調整部４３は、可動部４０の固定位置を調整できる機構であれば任意の構成を備えることができ、例えば、フレーム４１の延在方向（長さ方向）に沿ってフレーム４１に設けられた複数の穴と、この穴に通されるボルトで構成される。フレーム４１は、ボルトが通る穴の位置によって可動部４０の固定位置を調整し、ボルトで可動部４０をフレーム４１に固定することができる。
【００２９】
ベルトの張力調整装置は、さらに、走行部４４を備え、走行部４４で移動可能である。走行部４４は、例えば、車輪で構成することができる。
【００３０】
図５は、可動部４０の正面図である。可動部４０は、ロッド５１と、ハンドル５２と、ブロック５３と、ブロック５６と、張力測定機５５と、ブロック５８と、プーリ５７と、これらを設置する設置台５０を備える。
【００３１】
設置台５０は、可動部４０をフレーム４１（図４）に固定するための構成を備える。例えば、設置台５０は、フレーム４１の可動部固定位置調整部４３の穴に通されたボルトが通ることのできる穴４９を備える。可動部固定位置調整部４３の穴と設置台５０の穴４９にボルトを通し、このボルトでフレーム４１と可動部４０を締結することで、可動部４０をフレーム４１に固定することができる。
【００３２】
ロッド５１は、回転可能な棒状部材であり、プーリ５７と固定プーリ４２（図４）とを結ぶ方向が長さ方向であるように設置されている。ロッド５１は、表面にねじ山を備え、回転すると長さ方向に平行移動する。
【００３３】
ハンドル５２は、ロッド５１の一端に接続しており、ロッド５１を回転させて、ロッド５１をその長さ方向に平行移動させることができる。ハンドル５２が回転すると、ロッド５１が回転して長さ方向に平行移動する。
【００３４】
ブロック５３は、ロッド固定用ハンドル５４を備え、ロッド５１が貫通するロッド穴を有し、ロッド５１を固定可能な固定部材である。ブロック５３は、ロッド穴を貫通したロッド５１の表面に圧力を加えることで、ロッド５１を固定することができる。
【００３５】
ロッド固定用ハンドル５４は、ブロック５３に接続し、ブロック５３がロッド５１の表面に圧力を加えることができるような力をブロック５３に与えるための部材である。
【００３６】
ブロック５６は、ロッド５１の他端に接続しているとともに、張力測定機５５に接続しており、ロッド５１を張力測定機５５に接続する固定部材である。ブロック５６は、ロッド５１がその長さ方向に平行移動すると、ロッド５１に追従して平行移動する。
【００３７】
張力測定機５５は、プーリ５７と固定プーリ４２（図４）とにかけられたＶベルト２３の張力を測定し、測定した張力を表示する。張力測定機５５には、例えば、既存の吊り秤を用いることができる。吊り秤は、両端部に接続部を備え、これらの接続部が互いに逆方向に引っ張られたときに加わる力を張力として測定する。張力測定機５５は、ロッド５１が平行移動すると、ブロック５６に追従して平行移動する。
【００３８】
ブロック５８は、張力測定機５５に接続しているとともに、プーリ５７に接続しており、張力測定機５５をプーリ５７に接続する固定部材である。ブロック５８は、ロッド５１が平行移動すると、張力測定機５５に追従して平行移動する。
【００３９】
プーリ５７は、ブロック５８に固定され、Ｖベルト２３がかけられる。プーリ５７は、ロッド５１が平行移動すると、ブロック５８に追従して平行移動する。
【００４０】
張力測定機５５は、一端部の接続部でブロック５６に接続し、ブロック５６がロッド５１に追従して平行移動すると、この接続部がブロック５６に引っ張られる。張力測定機５５は、他端部の接続部でブロック５８に接続し、プーリ５７がＶベルト２３に引っ張られると、この接続部がブロック５８に引っ張られる。
【００４１】
プーリ５７と固定プーリ４２（図４）との間にＶベルト２３が張られ、ロッド５１がＶベルト２３の伸びる方向（図５の左方向）に平行移動したら、プーリ５７もＶベルト２３の伸びる方向に平行移動する。Ｖベルト２３は、このようにしてプーリ５７に引っ張られて伸びると、この反作用により縮む方向（図５の右方向）に力が働き、プーリ５７をロッド５１の移動方向とは逆方向（図５の右方向）に引っ張る。すなわち、ロッド５１がＶベルト２３に張力を生じさせるようにその長さ方向（図５の左方向）に平行移動したら、ブロック５６とブロック５８は、互いに逆方向に引っ張られる。
【００４２】
張力測定機５５は、プーリ５７と固定プーリ４２（図４）との間にＶベルト２３が張られて、ロッド５１がＶベルト２３に張力を生じさせるようにその長さ方向に平行移動したら、ブロック５６とブロック５８によって互いに逆方向に引っ張られて、Ｖベルト２３の張力を測定する。
【００４３】
なお、ロッド５１とハンドル５２とブロック５３を、張力調整機構と呼ぶ。張力調整機構は、張力測定機５５を移動させて、プーリ５７と固定プーリ４２（図４）とにかけられたＶベルト２３を引っ張り、Ｖベルト２３に張力を生じさせる機構である。
【００４４】
張力測定機５５は、一端部がブロック５６を介して張力調整機構に接続され、他端部がブロック５８を介してプーリ５７に接続される。張力測定機５５は、一端部と他端部が互いに逆方向に引っ張られたときに加わる力を、張力として測定する。
【００４５】
図６は、ブロック５３の構成を示す図である。ブロック５３は、ロッド固定用ハンドル５４と、ブロック５３を貫通するロッド穴６１と、ロッド穴６１に繋がった間隙６２と、間隙６２を挟んで対向するブロック５３の２つの部分に設けられたハンドル穴６３を備える。ロッド固定用ハンドル５４とハンドル穴６３は、間隙６２の大きさを変化させる間隙可変機構を構成する。
【００４６】
ロッド穴６１には、ロッド５１が貫通する。ロッド穴６１の表面には溝が形成されており、この溝とロッド５１のねじ山とが噛み合う。ロッド５１は、ハンドル５２（図５）によって回転すると、ねじ山がロッド穴６１の表面の溝に噛み合うことにより、ロッド穴６１の中を長さ方向に平行移動する。
【００４７】
ハンドル穴６３には、ロッド固定用ハンドル５４が設置されている。ハンドル穴６３の表面には、溝が形成されている。
【００４８】
ロッド固定用ハンドル５４は、間隙６２を挟んで対向するブロック５３の２つの部分を接続するように、ブロック５３に設けられている。ロッド固定用ハンドル５４の一部は、ハンドル穴６３の中に位置する。ロッド固定用ハンドル５４は、少なくともハンドル穴６３の中に位置する部分の表面にねじ山を備え、このねじ山とハンドル穴６３の表面の溝とが噛み合う。
【００４９】
ロッド固定用ハンドル５４が回転すると、ロッド固定用ハンドル５４のねじ山とハンドル穴６３の表面の溝とが噛み合うことで、ロッド固定用ハンドル５４は、図６の下方向に移動して、ハンドル穴６３の中に入っていく。すると、間隙６２の大きさが小さくなっていき（すなわち、間隙６２を挟んで対向するブロック５３の２つの部分の間の距離が短くなっていき）、ロッド穴６１の径が小さくなっていく。ロッド穴６１の径が小さくなると、ロッド穴６１の表面によってロッド５１の表面に圧力が加わり、ロッド５１が固定され、ロッド５１の回転と平行移動を防止する。
【００５０】
上述したように、Ｖベルト２３は、ハンドル５２によるロッド５１の移動（図５の左方向への移動）によってプーリ５７に引っ張られて伸びると、この反作用によりプーリ５７をロッド５１の移動方向とは逆方向（図５の右方向）に引っ張る。すなわち、ロッド５１には、Ｖベルト２３の張力により、ハンドル５２による移動方向と反対方向（図５の右方向）に移動するような力が加わる。
【００５１】
ブロック５３は、この力によりロッド５１がハンドル５２による移動方向と反対方向に移動するのを防止する。ブロック５３は、ロッド固定用ハンドル５４の回転によりロッド５１の表面に圧力を加え、ロッド５１を固定し、ロッド５１が回転してハンドル５２による移動方向と反対方向に移動するのを防ぐ。
【００５２】
ハンドル５２とロッド固定用ハンドル５４は、作業者が手で回転させてもよく、モータで回転させてもよい。また、ハンドル５２とロッド固定用ハンドル５４は、ジャッキを用いて回転させてもよい。
【００５３】
図４〜図６を用いて、本実施例によるベルトの張力調整装置を用いた、Ｖベルト２３の張力の測定方法と調整方法を説明する。
【００５４】
初めに、作業者は、Ｖベルト２３のサイズ（長さ）に合わせて、可動部４０をフレーム４１に固定する。可動部４０は、フレーム４１の可動部固定位置調整部４３により、位置が固定される。
【００５５】
次に、作業者は、Ｖベルト２３を固定プーリ４２と可動部４０のプーリ５７にかける。Ｖベルト２３は、固定プーリ４２とプーリ５７との間に張られる。
【００５６】
次に、作業者は、可動部４０の張力測定機５５の電源を入れ、Ｖベルト２３が伸びるように、ハンドル５２を回転させる。ハンドル５２が回転すると、ロッド５１は、Ｖベルト２３が伸びる方向（図５の左方向）に平行移動し、Ｖベルト２３に張力を生じさせる。
【００５７】
張力測定機５５は、Ｖベルト２３の張力を測定する。作業者は、張力測定機５５に表示された張力を読み取り、張力が所望の値になるようにハンドル５２を回転させてＶベルト２３の張力を調整する。
【００５８】
作業者は、Ｖベルト２３の張力が所望の値になったら、ロッド固定用ハンドル５４を回転させ、ロッド５１がハンドル５２による移動方向と反対方向に移動するのをブロック５３で防ぎ、ロッド５１を固定する。
【００５９】
作業者は、ロッド５１を固定した後、プーリ５７と固定プーリ４２との間の距離を測定する。作業者は、乗りかご１０のドアマシン１２（図２）のモータ２４と従動プーリ２５との間の距離を、測定したプーリ５７と固定プーリ４２との間の距離に一致させる。
【００６０】
ドアマシン１２のモータ２４と従動プーリ２５との間の距離をこのように設定すると、Ｖベルト２３をモータ２４と従動プーリ２５とにかけると、Ｖベルト２３の張力が所望の値になる。
【００６１】
本実施例によるベルトの張力調整装置では、可動部４０のプーリ５７と固定プーリ４２とにＶベルト２３がかけられ、可動部４０がＶベルト２３を引っ張ってＶベルト２３の張力を測定する。このため、本実施例によるベルトの張力調整装置は、Ｖベルト２３の全体を伸ばしてＶベルト２３の張力を測定するので、張力の測定時にＶベルト２３の全体に均等に張力を生じさせることができる。さらに、可動部４０がＶベルト２３を引っ張ってＶベルト２３に張力を生じさせるときに、プーリ５７と固定プーリ４２が回転することによっても、Ｖベルト２３の全体に均等に張力を生じさせることができる。
【００６２】
さらに、本実施例によるベルトの張力調整装置では、張力測定機５５を用いてＶベルト２３の張力を測定し、測定された張力が張力測定機５５に表示される。このため、例えば、作業者が定規等を用いてＶベルト２３のたわみ量を目視で測定する従来の張力調整方法に比べて、Ｖベルト２３の張力を高精度に測定して容易に調整することができる。
【００６３】
本実施例によるベルトの張力調整装置では、このようにして、Ｖベルト２３の張力を高精度に測定することができる。作業者は、本実施例によるベルトの張力調整装置を用いることにより、Ｖベルト２３の張力を高精度に測定し、Ｖベルト２３の張力を容易に調整することができる。
【００６４】
なお、本発明は、上記の実施例に限定されるものではなく、様々な変形が可能である。例えば、上記の実施例は、本発明を分かりやすく説明するために詳細に説明したものであり、本発明は、必ずしも説明した全ての構成を備える態様に限定されるものではない。また、ある実施例の構成の一部を他の実施例の構成に置き換えることが可能である。また、ある実施例の構成に他の実施例の構成を加えることも可能である。また、各実施例の構成の一部について、削除したり、他の構成を追加・置換したりすることが可能である。
【符号の説明】
【００６５】
１０…乗りかご、１１…ドア、１２…ドアマシン、２０…フレーム、２１…ハンガー、２２…レール、２３…Ｖベルト、２４…モータ、２５…従動プーリ、２６…ブラケット、３０…プーリ、３１…重り、４０…可動部、４１…フレーム、４２…固定プーリ、４３…可動部固定位置調整部、４４…走行部、４９…穴、５０…設置台、５１…ロッド、５２…ハンドル、５３…ブロック、５４…ロッド固定用ハンドル、５５…張力測定機、５６…ブロック、５７…プーリ、５８…ブロック、６１…ロッド穴、６２…間隙、６３…ハンドル穴。
【図１】
2020112211.tif 000003
【図２】
2020112211.tif 000004
【図３Ａ】
2020112211.tif 000005
【図３Ｂ】
2020112211.tif 000006
【図４】
2020112211.tif 000007
【図５】
2020112211.tif 000008
【図６】
2020112211.tif 000009